(57)【特許請求の範囲】
【請求項１】
帯状のバンド体を備えた連結具であって、該バンド体は、楔型頭部と、筒状挿通部とを少なくとも備え、前記楔型頭部は、先端に向けてその厚みを減ずるように構成すると共に、前記筒状挿通部は、前記楔型頭部を受け入れる挿通孔をその内孔が一対の開口の何れか一方向に減ずるように構成し、前記筒状挿通部に楔型頭部を挿通することで、前記バンド体を環状として被連結物を環内にて連結すると共に、前記筒状挿通部に挿通させた楔型頭部を折り返して再び前記筒状挿通部に進入させて係止することを特徴とする連結具。
【請求項２】
バンド体の厚みをＡ、楔型頭部の最大厚みをＢ１、楔型頭部の最小厚みをＢ２、挿通孔の最大高さをＣ１、挿通孔の最小高さをＣ２として、Ｂ１＜Ｃ２、Ｂ２＋Ａ＜Ｃ２、Ｂ１＋Ａ＞Ｃ１の関係を満たすような構成としてあることを特徴とする請求項１に記載の連結具。
【請求項３】
挿通孔内の下面に凹部若しくは凸部からなる第１係合部を備えると共に、挿通孔内にて前記下面と対向するバンド体の表面に、前記第１係合部と係合する凹部若しくは凸部からなる第２係合部を備えることを特徴とする請求項１又は２に記載の連結具。
【請求項４】
楔型頭部の上面若しくは下面の少なくとも一面に、バンド体の長手方向に延びる凸状押圧部をバンド体の短手方向に少なくとも一対配置させてあることを特徴とする請求項１〜請求項３の何れか１項に記載の連結具。
【請求項５】
バンド体の所定領域に、幅広部からなるパット部を設けてあることを特徴とする請求項１〜請求項４の何れか１項に記載の連結具。
【請求項６】
生育中の野菜や果実を載置させるための載置皿を更に備えることを特徴とする請求項１〜請求項５の何れか１項に記載の連結具。
【請求項７】
鳥獣の食害や害虫から野菜や果実を被覆して保護するための保護体を、バンド体に備えることを特徴とする請求項１〜請求項６の何れか１項に記載の連結具。
【請求項８】
支柱等の支持部材に係止するための係止部を更に備えることを特徴とする請求項１〜請求項７の何れか１項に記載の連結具。
【請求項９】
係止部は、筒状挿通部の外周から延出される腕部と、該腕部の先端に設けられる引掛部とで構成されることを特徴とする請求項８に記載の連結具。
【請求項１０】
請求項８又は請求項９に記載の連結具に備える係止部を、支柱等の支持部材に備える係止部に係止させてなる連結具と支持部材との係止構造。
【請求項１１】
支持部材は支柱であり、支持部材に備える係止部は、前記支柱に設ける一乃至複数の突出部と、支柱に設ける一乃至複数の貫通孔との少なくとも何れか一方であることを特徴とする請求項１０に記載の連結具と支持部材との係止構造。
【発明の詳細な説明】
【技術分野】
【０００１】
本発明は、連結具及び該連結具と支持部材とを係止させてなる係止構造に関する。
【背景技術】
【０００２】
従来、例えば苗と誘因紐や、複数の電話線コード等、物を結束、連結するための部材としては、可撓性のプラスチック材料で形成され、細長な帯状のバンド体を環状形状に湾曲させ、バンド体の一端側を他端側に設けた係止部に重ね合わせて係止させることで、環状形状に湾曲させたバンド体内にて被結束物の結束を行うものがあった。
また、このような従来の結束具においては、係止部にバンド体を挿通し得る挿通孔を設けると共に、該挿通孔と該挿通孔に挿通させるバンド体との対向面間に、環状形状が小さくなる方向への送りのみを許容するラチェット機構を設け、このラチェット機構において、バンド体を係止部に係止するようにしたものが一般的であった。
このような従来の結束具を示す従来技術として、下記特許文献１がある。
【先行技術文献】
【特許文献】
【０００３】
【特許文献１】特開２０１２−１２２９号公報
【発明の概要】
【発明が解決しようとする課題】
【０００４】
上記特許文献１の技術は、結束具に関する発明で、一端に設けた貫通孔２３に他端４５を挿通させると共に、バンド４０に設けたラチェット歯４３とバックル爪２５とを係合させて結束を行う構成が開示されている。
しかし、このような従来の結束具は、ラチェット機構の構造上、バンド体を係合部に係合させると、それを解消することができず、バンド体を切断しなければ目的物を結束状態から開放することができないことから、結束具の再利用が不可能で、使い捨てにせざるを得ないという問題があった。
このような問題に対して、結束状態を解除可能な構成を備える結束具も開発されているものの、構造が複雑で製造コストを抑えることができないと共に、結束を解除する作業が煩雑であるという問題があった。
また従来の結束具は、文字通り、ばらばらになっている物を束ねることを目的として開発されたものであることから、用途が限定されており、多用途に用い難いという問題があった。
【０００５】
そこで本発明は上記従来における問題点を解決し、連結作業と連結を解く作業との何れも容易に行うことができると共に、再利用可能であり、多用途に用いることができる連結具及び該連結具と支持部材との係止構造の提供を課題とする。
【課題を解決するための手段】
【０００６】
上記課題を達成するため、本発明の連結具は、帯状のバンド体を備えた連結具であって、該バンド体は、楔型頭部と、筒状挿通部とを少なくとも備え、前記楔型頭部は、先端に向けてその厚みを減ずるように構成すると共に、前記筒状挿通部は、前記楔型頭部を受け入れる挿通孔をその内孔が一対の開口の何れか一方向に減ずるように構成し、前記筒状挿通部に楔型頭部を挿通することで、前記バンド体を環状として被連結物を環内にて連結すると共に、前記筒状挿通部に挿通させた楔型頭部を折り返して再び前記筒状挿通部に進入させて係止することを第１の特徴としている。
また本発明の連結具は、上記第１の特徴に加えて、バンド体の厚みをＡ、楔型頭部の最大厚みをＢ１、楔型頭部の最小厚みをＢ２、挿通孔の最大高さをＣ１、挿通孔の最小高さをＣ２として、Ｂ１＜Ｃ２、Ｂ２＋Ａ＜Ｃ２、Ｂ１＋Ａ＞Ｃ１の関係を満たすような構成としてあることを第２の特徴としている。
また本発明の連結具は、上記第１又は第２の特徴に加えて、挿通孔内の下面に凹部若しくは凸部からなる第１係合部を備えると共に、挿通孔内にて前記下面と対向するバンド体の表面に、前記第１係合部と係合する凹部若しくは凸部からなる第２係合部を備えることを第３の特徴としている。
また本発明の連結具は、上記第１〜第３の何れか１つの特徴に加えて、楔型頭部の上面若しくは下面の少なくとも一面に、バンド体の長手方向に延びる凸状押圧部をバンド体の短手方向に少なくとも一対配置させてあることを第４の特徴としている。
また本発明の連結具は、上記第１〜第４の何れか１つの特徴に加えて、バンド体の所定領域に、幅広部からなるパット部を設けてあることを第５の特徴としている。
また本発明の連結具は、上記第１〜第５の何れか１つの特徴に加えて、生育中の野菜や果実を載置させるための載置皿を更に備えることを第６の特徴としている。
また本発明の連結具は、上記第１〜第６の何れか１つの特徴に加えて、鳥獣の食害や害虫から野菜や果実を被覆して保護するための保護体を、バンド体に備えることを第７の特徴としている。
また本発明の連結具は、上記第１〜第７の何れか１つの特徴に加えて、支柱等の支持部材に係止するための係止部を更に備えることを第８の特徴としている。
また本発明の連結具は、上記第８の特徴に加えて、係止部は、筒状挿通部の外周から延出される腕部と、該腕部の先端に設けられる引掛部とで構成されることを第９の特徴としている。
また本発明の連結具と支持部材との係止構造は、請求項８又は請求項９に記載の連結具に備える係止部を、支柱等の支持部材に備える係止部に係止させてなることを第１０の特徴としている。
また本発明の連結具と支持部材との係止構造は、上記第１０の特徴に加えて、支持部材は支柱であり、支持部材に備える係止部は、前記支柱に設ける一乃至複数の突出部と、支柱に設ける一乃至複数の貫通孔との少なくとも何れか一方であることを第１１の特徴としている。
【発明の効果】
【０００７】
上記第１の特徴による連結具によれば、帯状のバンド体を備えた連結具であって、該バンド体は、楔型頭部と、筒状挿通部とを少なくとも備え、前記楔型頭部は、先端に向けてその厚みを減ずるように構成すると共に、前記筒状挿通部は、前記楔型頭部を受け入れる挿通孔をその内孔が一対の開口の何れか一方向に減ずるように構成し、前記筒状挿通部に楔型頭部を挿通することで、前記バンド体を環状として被連結物を環内にて連結すると共に、前記筒状挿通部に挿通させた楔型頭部を折り返して再び前記筒状挿通部に進入させて係止することから、筒状挿通部に一度挿通させたバンド体を折り返して、楔形頭部を再び筒状挿通部に差し込むだけで、容易に連結作業を行うことができる。また連結を解く場合には、楔型頭部を筒状挿通部から引き抜くことで、連結を容易に解くことができる。よって作業効率が良く、多用途に用いることができる連結具とすることができる。加えて、バンド体を切断することなく連結を解くことができることで、再利用可能な連結具とすることができる。
【０００８】
また上記第２の特徴による連結具によれば、上記第１の特徴による作用効果に加えて、バンド体の厚みをＡ、楔型頭部の最大厚みをＢ１、楔型頭部の最小厚みをＢ２、挿通孔の最大高さをＣ１、挿通孔の最小高さをＣ２として、Ｂ１＜Ｃ２、Ｂ２＋Ａ＜Ｃ２、Ｂ１＋Ａ＞Ｃ１の関係を満たすような構成としてあることから、楔型頭部２０と筒状挿通部３０とで楔作用を効率的に発現させて、楔型頭部２０を筒状挿通部３０に固定することができる。
【０００９】
また上記第３の特徴による連結具によれば、上記第１又は第２の特徴による作用効果に加えて、挿通孔内の下面に凹部若しくは凸部からなる第１係合部を備えると共に、挿通孔内にて前記下面と対向するバンド体の表面に、前記第１係合部と係合する凹部若しくは凸部からなる第２係合部を備えることから、第１係合部と第２係合部とを、楔型頭部の押圧力で相互に係合させることができる。これによって、連結状態を一段と強固に保持することができる。
【００１０】
また上記第４の特徴による連結具によれば、上記第１〜第３の何れか１つの特徴による作用効果に加えて、楔型頭部の上面若しくは下面の少なくとも一面に、バンド体の長手方向に延びる凸状押圧部をバンド体の短手方向に少なくとも一対配置させてあることから、連結を解く作業時において、挿通孔の内面と楔型頭部の表面との間で発生する摩擦力を効果的に低減させることができる。よって連結を解く作業を一段と小さな労力で行うことができる。従って作業効率の良い連結具とすることができる。
【００１１】
また上記第５の特徴による連結具によれば、上記第１〜第４の何れか１つの特徴による作用効果に加えて、バンド体の所定領域に、幅広部からなるパット部を設けてあることから、被連結物とバンド体との接触面積を効果的に増大させることができる。よって被連結物が損傷することを効果的に防止することができる連結具とすることができる。
【００１２】
また上記第６の特徴による連結具によれば、上記第１〜第５の何れか１つの特徴による作用効果に加えて、生育中の野菜や果実を載置させるための載置皿を更に備えることから、野菜や果実の落下を効果的に防止することができる機能を付加した連結具とすることができる。
【００１３】
また上記第７の特徴による連結具によれば、上記第１〜第６の何れか１つの特徴による作用効果に加えて、鳥獣の食害や害虫から野菜や果実を被覆して保護するための保護体を、バンド体に備えることから、鳥獣の食害や害虫から野菜や果実を保護することができる機能を付加した連結具とすることができる。
【００１４】
また上記第８の特徴による連結具によれば、上記第１〜第７の何れか１つの特徴による作用効果に加えて、支柱等の支持部材に係止するための係止部を更に備えることから、支持部材に容易に係止可能な連結具とすることができる。
【００１５】
また上記第９の特徴による連結具によれば、上記第８の特徴による作用効果に加えて、係止部は、筒状挿通部の外周から延出される腕部と、該腕部の先端に設けられる引掛部とで構成されることから、形成容易な係止部とすることができる。
【００１６】
また上記第１０の特徴による連結具と支持部材との係止構造によれば、請求項８又は請求項９に記載の連結具に備える係止部を、支柱等の支持部材に備える係止部に係止させてなることから、作業効率が良く、再利用可能な連結具と支持部材との係止構造とすることができる。
【００１７】
また上記第１１の特徴による連結具と支持部材との係止構造によれば、上記第１０の特徴による作用効果に加えて、支持部材は支柱であり、支持部材に備える係止部は、前記支柱に設ける一乃至複数の突出部と、支柱に設ける一乃至複数の貫通孔との少なくとも何れか一方であることから、係止容易な連結具と支持部材との係止構造とすることができる。
【００１８】
本発明の連結具によれば、作業効率が良く、多用途に用いることができる連結具とすることができる。また再利用可能な連結具とすることができる。
また本発明の連結具と支持部材との係止構造によれば、作業効率が良く、再利用可能な連結具と支持部材との係止構造とすることができる。
【図面の簡単な説明】
【００１９】
【図１】本発明の第１の実施形態に係る連結具を示す斜視図である。
【図２】本発明の第１の実施形態に係る連結具における使用状態の力の関係を模式的に示す断面図である。
【図３】本発明の第１の実施形態に係る連結具の使用状態を示す斜視図である。
【図４】本発明の第１の実施形態に係る連結具における楔型頭部の変形例を示す図で、（ａ）は斜視図、（ｂ）は先端部分を模式的に示す図である。
【図５】本発明の第１の実施形態に係る連結具における係合部の変形例を示す図である。
【図６】本発明の第１の実施形態に係る連結具におけるバンド体の変形例を示す図である。
【図７】本発明の第２の実施形態に係る連結具及びその使用状態を示す図である。
【図８】本発明の第３の実施形態に係る連結具及びその使用状態を示す斜視図である。
【図９】本発明の第４の実施形態に係る連結具と、連結具と支持部材との係止構造を示す図で、（ａ）は連結具の要部を示す斜視図、（ｂ）は連結具と支持部材との係止構造の要部を示す斜視図である。
【図１０】本発明の第４の実施形態に係る連結具と支持部材との係止構造の使用状態を示す斜視図である。
【図１１】本発明の第４の実施形態に係る連結具の変形例を示す図で、（ａ）は連結具の変形例１の要部を示す斜視図、（ｂ）は連結具の変形例２の要部を示す斜視図である。
【図１２】本発明の第４の実施形態に係る連結具と支持部材との係止構造における支持部材の変形例を示す図であり、（ａ）は正面図、（ｂ）は平面図である。
【図１３】本発明の第４の実施形態に係る連結具と支持部材との係止構造の変形例の使用状態を示す図である。
【図１４】本発明の第５の実施形態に係る連結具を示す斜視図である。
【図１５】本発明の第６の実施形態に係る連結具を示す斜視図である。
【図１６】本発明の第７の実施形態に係る連結具を示す斜視図である。
【図１７】本発明の第６の実施形態に係る連結具を用いて複数のパイプを連結させた状態を示す斜視図である。
【発明を実施するための形態】
【００２０】
以下、各図面を参照して、本発明の実施形態に係る連結具及び該連結具と支持部材との係止構造を説明し、本発明の理解に供する。しかし、以下の説明は特許請求の範囲に記載の本発明を限定するものではない。
【００２１】
先ず図１〜図３を参照して、本発明の第１の実施形態に係る連結具を説明する。
【００２２】
本発明の第１の実施形態に係る連結具１は、帯状のバンド体に備える挿通孔にバンド体の一端を挿通させて環状部を構成し、該環状部内にて被連結物を連結する連結具である。
この連結具１は、図１に示すように、バンド体１０と、楔型頭部２０と、筒状挿通部３０とから構成される。
【００２３】
前記バンド体１０は、連結具１の本体を構成するもので、細長い帯板状体で構成される。
また本実施形態においては、図１に示すように、後述する挿通孔３１内にて下面３１ａと対向するバンド体１０の表面に、第２係合部１１を備える構成としてある。
より具体的には、本実施形態においては図１、図２に簡略化して示すように、第２係合部１１を凹部で形成する構成としてある。またバンド体１０の短手方向の全長に渡って延びる溝で凹部を形成すると共に、この溝をバンド体１０の長手方向に複数並列配置させる構成としてある。
【００２４】
なお、第２係合部１１を構成する凹部は、必ずしも複数必要なものではなく、１乃至複数備える構成であれば、設ける数は適宜変更可能である。またバンド体１０に設ける位置も適宜変更可能である。なお第２係合部１１は、必ずしも凹部で形成する構成に限るものではなく、後述する第１係合部３２を凹部で形成する場合には、第２係合部１１を凸部で形成することが必要である。つまり、第２係合部の構成は、係合対象である第１係合部３２と係合可能な構成である事が必要である。
またバンド体１０としては、可撓性のプラスチック材料等、連結具を構成するものとして、通常用いられるものであれば、如何なるものを用いてもよい。
更にバンド体１０の長さ、厚み等は、被連結物に合わせて適宜変更可能である。
【００２５】
前記楔型頭部２０は、挿通孔３１に挿通させて被連結物の連結を行うための環状部Ｒを構成する起点となると共に、筒状挿通部３０と協働して連結具１の固定手段を構成するものである。
本実施形態においては、図１に示すように、筒状挿通部３０を設けたバンド体１０の端部と反対側の端部に、先端に向けてその厚みを減ずるように構成する楔型頭部２０を設ける構成としてある。言い換えれば、他端に向けて肉厚な楔型形状をなす楔型頭部２０を設ける構成としてある。更に具体的には、バンド体１０において、筒状挿通部３０の裏面側に楔型頭部２０を設ける構成としてある。
この楔型頭部２０は、例えばバンド体１０と一体成形により形成することができる。
【００２６】
なお、図１（ｂ）、図１（ｃ）に示すように、この楔型頭部２０は、挿通孔３１に一方向から挿通されると共に、バンド体１０の途中位置で折り返して折り返し湾曲部Ｆを形成した後、挿通孔３１に他方向から再び挿通される（差し込まれる）。これによって、挿通孔３１内において、楔型頭部２０が楔作用によって筒状挿通部３０に固定されると共に、連結作業が完了される。
また楔型頭部２０の形状は本実施形態のものに限るものではなく、筒状挿通部３０と協働して楔作用を発揮できる形状であれば、適宜変更可能である。
【００２７】
前記筒状挿通部３０は、バンド体１０の一端に備える楔型頭部２０を受け入れる（挿通させる）挿通孔３１を備え、挿通孔３１に楔型頭部２０を挿通させて被連結物の連結を行う環状部Ｒを構成すると共に、楔型頭部２０と協働して連結具１の固定手段を構成するものである。
本実施形態においては、図１に示すように、楔型頭部２０を設けた端部とは反対側の端部に、外形が矩形状の筒状挿通部３０を設ける構成としてある。
この筒状挿通部３０は、例えばバンド体１０と一体成形により形成することができる。
【００２８】
また本実施形態においては、図２に簡略化して示すように、挿通孔３１を、その内孔が挿通孔３１に備える一対の開口の何れか一方向に減ずるように構成してある。
より具体的には、連結具１による連結作業を完了させる際に、挿通孔３１の上面３１ｂが楔型頭部２０の上面２０ａの傾斜に沿う傾斜面となるように、挿通孔３１の内孔を、挿通孔３１に備える一対の開口の何れか一方向に減ずる構成としてある。（本実施形態においては、連結具１における筒状挿通部３０を設ける端部側の開口に向けて減ずるように構成してある。）
つまり本実施形態においては、図２（ａ）に示すように、挿通孔３１の上面３１ｂを、楔型頭部２０の上面２０ａの傾斜に沿う傾斜面とする構成としてある。
【００２９】
また本実施形態においては、図１、図２に示すように、挿通孔３１の下面３１ａ及びその近傍に、既述した第２係合部１１と係合する第１係合部３２を備える構成としてある。より具体的には、本実施形態においては、第１係合部３２を凸部で形成する構成としてある。更に具体的には、図１、図２に簡略化して示すように、バンド体１０の短手方向の全長に延びると共に、第２係合部１１と係合する形状からなる突片で凸部を形成すると共に、この突片をバンド体１０の長手方向に複数並列配置させる構成としてある。
なお、第１係合部３２を構成する凸部は、必ずしも複数必要なものではなく、１乃至複数備える構成であれば、設ける数は適宜変更可能である。また既述したように、この第１係合部３２は、凹部で形成する構成としてもよい。
【００３０】
また本実施形態においては、このような構成からなるバンド体１０、楔型頭部２０、筒状挿通部３０において、図２に示すバンド体１０の厚みをＡ、楔型頭部２０の最大厚みをＢ１、楔型頭部２０の最小厚みをＢ２、挿通孔３１の最大高さをＣ１、挿通孔３１の最小高さをＣ２として、Ｂ１＜Ｃ２、Ｂ２＋Ａ＜Ｃ２、Ｂ１＋Ａ＞Ｃ１の関係を満たすような構成としてある。
なお、ここで「挿通孔３１の最大高さ」とは、図２（ｂ）に示すように、第１係合部３２を構成する突片の先端から上面３１ｂの最上部（図２（ｂ）の左側端部）までの長さを意味するものであり、「挿通孔３１の最小高さ」とは、図２（ｂ）に示すように、第１係合部３２を構成する突片の先端から上面３１ｂの最下部（図２（ｂ）の右側端部）までの長さを意味するものである。
【００３１】
次に図１、図２を参照して、本発明の第１の実施形態に係る連結具１を用いて被連結物を連結する際の動作と、力の作用を詳細に説明する。
なお説明の便宜上、図１、図２においては、被連結物の図示を省略するものとする。
【００３２】
まず図１（ａ）、図１（ｂ）を参照して、挿通孔３１に楔型頭部２０を一方向から（本実施形態においては、挿通孔３１の右側から）挿通させると共に、楔型頭部２０を一方向へと所定量引っ張る。
この際、図２に示すバンド体１０の厚みをＡ、楔型頭部２０の最大厚みをＢ１、楔型頭部２０の最小厚みをＢ２、挿通孔３１の最大高さをＣ１、挿通孔３１の最小高さをＣ２として、Ｂ１＜Ｃ２、Ｂ２＋Ａ＜Ｃ２、Ｂ１＋Ａ＞Ｃ１の関係を満たすような構成としてあることから、図１（ｂ）に示すように、挿通孔３１に楔型頭部２０を容易に挿通させることができる。
これによって、図１（ｂ）に示すように、バンド体１０で環状部Ｒが形成される。なお、環状部Ｒの大きさは、第２係合部１１の設ける位置、数により、また楔型頭部２０の引っ張り量によって所望の大きさに調整することができる。
【００３３】
次に図１（ｃ）を参照して、バンド体１０をその途中位置で折り返すことで、折り返し湾曲部Ｆを形成する。
【００３４】
その後、挿通孔３１に楔型頭部２０を他方向から進入させる（差し込む）。
この際、図２に示すバンド体１０の厚みをＡ、楔型頭部２０の最大厚みをＢ１、楔型頭部２０の最小厚みをＢ２、挿通孔３１の最大高さをＣ１、挿通孔３１の最小高さをＣ２として、Ｂ１＜Ｃ２、Ｂ２＋Ａ＜Ｃ２、Ｂ１＋Ａ＞Ｃ１の関係を満たすような構成としてあると共に、挿通孔３１を、上面３１ｂが楔型頭部２０の上面２０ａの傾斜に沿う傾斜面となるように、挿通孔３１の内孔を一対の開口の何れか一方向に減ずるような構成としてあることから、挿通孔３１内において楔作用によって楔型頭部２０が筒状挿通部３０に（挿通孔３１内で）固定される。
【００３５】
より具体的には、挿通孔３１の最小高さＣ２からバンド体１０の厚みＡを減じた残りの厚みよりも楔型頭部２０の厚みが大きくなる位置（図２（ｂ）に示す位置）で、楔型頭部２０の差し込み方向への前進が停止される。これによって、楔型頭部２０の先端部分が挿通孔３１から突き出た状態で、挿通孔３１内に楔型頭部２０が固定される。
この際、図２（ｂ）に示すように、楔作用により、黒塗り矢印で示す前進方向への力Ｊは、挿通孔３１の下面３１ａを押す押圧力Ｋと、上面３１ｂを押す押圧力Ｌとに分散される。この押圧力Ｋによって、挿通孔３１内において第２係合部１１が第１係合部３２へと押圧され、第１係合部３２と第２係合部１１とが係合される。
【００３６】
以上の動作により、連結具１による連結作業が完了する。
【００３７】
なお、連結具１の連結を解く場合には、折り返し湾曲部Ｆに指をかけて、楔型頭部２０を挿通孔３１から引き抜くことで、連結状態を解除することができる。
【００３８】
そして図３に示すように、このような構成からなる連結具１は、例えば植木鉢に差し込まれた支持部材７０たる支柱７１と、植木鉢に植えられた苗木８０の茎８１とを連結する際に利用することができる。
このように、本発明の第１の実施形態に係る連結具１は、その実施形態の一例として、例えば支柱７１或いは誘引縄（図示しない。）を介した苗木８０の誘引を行うための、いわゆる農業用連結具として用いることができる。
【００３９】
このような構成からなる本発明の第１の実施形態に係る連結具１は、以下の効果を奏する。
【００４０】
先端に向けてその厚みを減ずるように構成した楔型頭部２０をバンド体１０の一端に備えると共に、楔型頭部２０を受け入れる挿通孔３１を備える筒状挿通部３０を他端に備え、また挿通孔３１を、上面３１ｂが楔型頭部２０の上面２０ａの傾斜に沿う傾斜面となるように、内孔に備える一対の開口の何れか一方向に減ずるような構成とし、更に、挿通孔３１に楔型頭部２０を一方向から挿通させた後、バンド体１０の途中位置で折り返して折り返し湾曲部Ｆを形成すると共に、挿通孔３１に楔型頭部２０を他方向から再度進入させて（差し込んで）係止する（連結を行う）構成とすることで、挿通孔３１に一度挿通させたバンド体１０を折り返して、楔形頭部２０を同じ挿通孔３１に再度差し込むだけで、容易に連結作業を行うことができる。
また連結を解く場合には、折り返し湾曲部Ｆに指をかけて楔型頭部２０を挿通孔３１から引き抜くことで、連結状態を容易に解くことができる。
従って、連結作業と連結を解く作業とのどちらの作業も、楽に且つ手早く行うことができる連結具１とすることができる。よって作業効率が良く、多用途に用いることができる連結具１とすることができる。加えて、バンド体１０を切断することなく、連結を解除できることで、再利用可能な連結具１とすることができる。
【００４１】
また挿通孔３１の上面３１ｂを、楔型頭部２０の上面２０ａの傾斜に沿う傾斜面とすることで、挿通孔３１の内面全面に渡って楔作用を発揮させることができる。よって第１係合部３２と第２係合部１１とに一段と効率的に楔型頭部２０の押圧力を伝達可能な構造とすることができる。従って連結状態を一段と効率的且つ強固に保持できる連結具１とすることができる。
【００４２】
またバンド体１０の厚みをＡ、楔型頭部２０の最大厚みをＢ１、楔型頭部２０の最小厚みをＢ２、挿通孔３１の最大高さをＣ１、挿通孔３１の最小高さをＣ２として、Ｂ１＜Ｃ２、Ｂ２＋Ａ＜Ｃ２、Ｂ１＋Ａ＞Ｃ１の関係を満たすような構成としてあることで、楔型頭部２０と筒状挿通部３０とで楔作用を一段と効率的に発現させて、楔型頭部２０を筒状挿通部３０に固定することができる。
【００４３】
また挿通孔３１の下面３１ａに凸部からなる第１係合部３２を備えると共に、挿通孔３１内にて下面３１ａと対向するバンド体１０の表面に、第１係合部３２と係合する凹部からなる第２係合部１１を備える構成とすることで、楔作用により楔型頭部２０を介して発生する押圧力によって、第２係合部１１を第１係合部３２に向けて押圧し、第２係合部１１と第１係合部３２とを相互に係合させることができる。これによって連結具１の連結状態を一段と強固に保持することができる。
【００４４】
更に簡易な構造で連結具１を形成することができることから、製造効率が良いと共に、製造コストの省コスト化を実現可能な連結具とすることができる。また環境負荷の低い連結具１とすることができる。
【００４５】
次に図４〜図６を参照して、本発明の第１の実施形態に係る連結具１の変形例１〜変形例３を説明する。なお、変形例１〜変形例３において、既述した本発明の第１の実施形態に係る連結具１と同一部材、同一機能を果たすものには、同一番号、同一機能を付し、以下の詳細な説明は省略するものとする。
【００４６】
図４を参照して、本発明の第１の実施形態に係る連結具１の変形例１は、既述した実施形態に対して、楔型頭部２０の構成を変形させたものである。
具体的には、楔型頭部２０の上面２０ａと下面２０ｂとに、バンド体１０の長手方向に延びる凸状押圧部２１をバンド体１０の短手方向に一対並列配置させる構成としてある。
更に図４（ｂ）に示すように、凸状押圧部２１の形状を三角形状とする構成としてある。
【００４７】
このような構成とすることで、図４（ｂ）に示すように、挿通孔３１の下面３１ａ及び上面３１ｂと、楔型頭部２０との接触部分を凸状押圧部２１の頂点２１ａに限定することができる。よって挿通孔３１の下面３１ａ及び上面３１ｂと、楔型頭部２０との接触面積を効果的に低減させることができる。従って連結具１の連結を解く作業時において、挿通孔３１の内面と楔型頭部２０の表面との間で発生する摩擦力を効果的に低減させることができる。よって連結を解く作業を一段と小さな労力で行うことができ、作業効率の良い連結具１とすることができる。
【００４８】
なお、凸状押圧部２１の形状、数、長さ、配置位置等は本変形例１のものに限るものではなく、適宜変更可能である。例えば凸状押圧部２１の形状として、半円形状（湾曲形状）とする構成としてもよい。但し、凸状押圧部２１を設ける場合は、楔型頭部２０の上面２０ａ若しくは下面２０ｂの少なくとも一面に、同一構成の凸状押圧部２１をバンド体１０の短手方向に少なくとも一対配置させることが必要である。
【００４９】
次に図５を参照して、本発明の第１の実施形態に係る連結具１の変形例２は、既述した実施形態に対してバンド体１０に設ける第１係合部及び第２係合部の構成を変形させたものである。
具体的には、本変形例においては、凸部で構成する第１係合部３２ａを、バンド体１０の短手方向の一端から他端までの全長に渡って設けるのではなく、バンド体１０の短手方向の両端に余白を残すような構成で、第１係合部３２ａをバンド体１０の長手方向に複数並列配置させる構成としてある。同様に、凹部（溝）で構成する第２係合部１１ａを、バンド体１０の短手方向の一端から他端までの全長に渡って設けるのではなく、バンド体１０の短手方向の両端に余白を残すような構成で、第２係合部１１ａをバンド体１０の長手方向に複数並列配置させる構成としてある。
【００５０】
このような構成とすることで、凸部や凹部（溝）で形成される係合部が起点となって、バンド体１０の短手方向に亀裂や破断が生じることを効果的に防止することができる。よって耐久性に優れた連結具とすることができる。
【００５１】
次に図６を参照して、本発明の第１の実施形態に係る連結具１の変形例３は、既述した実施形態に対してバンド体１０の構成を変形したものである。
具体的には、本変形例においては、環状部Ｒを構成するバンド体１０の所定領域に、バンド体１０の幅を短手方向に広げた幅広部からなるパッド部１２を設ける構成としてある。
【００５２】
このような構成とすることで、被連結物とバンド体１０との接触面積を効果的に増大させることができる。よって被連結物が損傷することを効果的に防止することができる連結具とすることができる。
より具体的には、例えば茎や枝が複雑に枝分かれすると共に、収量が多く肉質が軟らかいトマトやピーマン、茄子等の誘因用の連結具として本発明に係る連結具を用いる場合、連結具の環状部Ｒ内に作物が入った状態で連結を行う場合がある。このような場合に、本変形例３の構成によれば、作物と接触するバンド体１０の接触面積を効果的に増大させることができる。よって、肉質が柔らかい作物に対して連結具を用いる場合でも、作物に損傷が生じることを効果的に防止することができる連結具とすることができる。
【００５３】
次に図７を参照して、本発明の第２の実施形態に係る連結具２を説明する。
本発明の第２の実施形態に係る連結具２は、既述した本発明の第１の実施形態に係る連結具１に対して、生育中の野菜や果実８２を載置させるための載置皿４３ｃを付加的に備える構成とするものである。その他の構成は、既述した本発明の第１の実施形態に係る連結具１と同様である。よって、同一部材、同一機能を果たすものには、同一番号、同一符号を付し、以下の詳細な説明は省略するものとする。
【００５４】
具体的には、図７（ａ）に示すように、筒状挿通部３０の上部からバンド体１０と同一部材で形成される腕部４１を延出させると共に、腕部４１の先端に備える連結部４１ａに、支持ユニット４２を介して載置部４３を着脱自在に取り付ける構成としてある。
前記支持ユニット４２は、連結部４１ａに載置部４３を回転自在に取り付けるためのもので、円板状の支持板４２ａと、支持板４２ａの上面から延出される軸４２ｂとから構成されている。そして詳しくは図示していないが、軸４２ｂの先端には雄ネジ加工が施されていると共に、連結部４１ａには雌ネジ加工が施されており、軸４２ｂを連結部４１ａにねじ込むことで、支持ユニット４２が連結部４１ａに固定される構成としてある。本実施形態においては、支持板４２ａと軸４２ｂとを、腕部４１と同一部材で形成する構成としてある。
また前記載置部４３は、筒状部材で構成される回転体４３ａと、回転体４３ａの外周から斜め下方に向かって放射状に延出される３本の吊り紐４３ｂと、吊り紐４３ｂの先端に取り付けられる載置皿４３ｃとから構成されている。本実施形態においては、回転体４３ａと吊り紐４３ｂと載置皿４３ｃとを、腕部４１と同一部材で一体成形する構成としてある。そして回転体４３ａを軸４２ｂに挿通させた状態で、支持ユニット４２を連結部４１ａに固定することで、支持ユニット４２を介して載置皿４３ｃを腕部４１に着脱自在で、且つ回転自在に取り付ける構成としてある。
【００５５】
なお、支持ユニット４２、載置部４３を形成する部材は、既述した本発明の第２の実施形態に係る連結具２の構成に限るものではなく、適宜変更可能である。
また載置皿４３ｃを腕部４１に着脱自在で、且つ回転自在に取り付ける構成も既述した本発明の第２の実施形態に係る連結具２の構成に限るものではなく、載置皿４３ｃを腕部４１に着脱自在で、且つ回転自在に取り付けることができるものであれば、如何なる構成であってもよい。
【００５６】
また吊り紐４３ｂの本数も既述した本発明の第２の実施形態に係る連結具２の構成に限るものではなく、適宜変更可能である。
また筒状挿通部３０に対する腕部４１の形成位置も本実施形態のものに限るものではなく、適宜変更可能である。
【００５７】
このような構成とすることで、生育中の野菜や果実８２の落下を効果的に防止できる機能を連結具に付加することができる。また載置部４３を腕部４１に着脱自在に取り付ける構成とすることで、生育過程に合わせてサイズの異なる載置皿４３ｃに交換可能な構成とすることができる。
更に載置皿４３ｃを回転自在な構成とすることで、生育中の野菜や果実８２を可動範囲内で自由に回転させることができる。よって野菜や果実８２に日光を効率的に照射可能な構成とすることができる。
【００５８】
次に図８を参照して、本発明の第３の実施形態に係る連結具３を説明する。
本発明の第３の実施形態に係る連結具３は、既述した本発明の第１の実施形態に係る連結具１に対して、鳥獣の食害や害虫から野菜や果実８２を被覆して保護するための保護体５０を、環状部Ｒを構成するバンド体１０に備える構成とするものである。その他の構成は、既述した本発明の第１の実施形態に係る連結具１と同様である。よって、同一部材、同一機能を果たすものには、同一番号、同一符号を付し、以下の詳細な説明は省略するものとする。
【００５９】
より具体的には、図８（ａ）に示すように、バンド体１０における、後に環状部Ｒを構成する領域Ｒ１部分の側縁１３のうち、何れか一方に（本実施形態においては、連結具３の使用時に保護体５０が垂下する側に）保護網５１を取り付ける構成としてある。なお、ここで「側縁」とは、バンド体１０の厚み部分に相当する面を意味するものである。
また保護網５１の網目の大きさは、鳥獣の口ばしや手よりも小さいものであることが必要である。
更に瓜葉虫やだんご虫等の害虫予防や害虫対策に用いる場合は、保護網５１の網目が害虫よりも小さいものであることが必要である。例えば害虫用の保護網５１として、網目の細かい寒冷紗を用いることができる。
【００６０】
また保護網５１をバンド体１０に取り付ける方法としては、接着剤等を用いて保護網５１をバンド体１０から取り外し不能に取り付ける方法や、バンド体１０に保護網５１を着脱自在に取り付ける方法等、保護網５１をバンド体１０に取り付けることができる方法であれば、如何なる方法を用いてもよい。
また本実施形態においては、保護網５１の大きさを、１つの果実８２を被覆できる大きさとしたが、保護網５１の大きさは、本実施形態のものに限るものではない。例えば果樹類に対しては、大枝単位で複数の小枝や果実を丸ごと被覆できる大きさとするものであってもよい。また苗木８１全体を一つの保護網５１で被覆できる大きさとするものであってもよい。このような場合、保護網５１の開口端部（網の端同士が接する部分）を締めることが可能な締め具を設ける構成とすることが望ましい。締め具としては、例えばファスナー等、保護網５１の開口端部を締めることが可能なものであれば、如何なるものを用いてもよい。
また保護体５０としては、本実施形態における保護網５１に限るものではなく、野菜や果実を鳥獣の食害や害虫から保護できるものであれば、如何なるものを用いてもよい。
【００６１】
このように保護体５０を備える構成とすることで、鳥獣の食害や害虫から野菜や果実を保護できる機能を連結具に付加することができる。従って、特に農業用の連結具として優れた機能を備える連結具とすることができる。
【００６２】
次に図９〜図１３を参照して、本発明の第４の実施形態に係る連結具４及び連結具４と支持部材７０との係止構造を説明する。
本発明の第４の実施形態に係る連結具４は、図９に示すように、既述した本発明の第１の実施形態に係る連結具１に対して、連結具と支持部材とを係止させるための係止部６０を連結具に設ける構成とするものである。その他の構成は、既述した本発明の第１の実施形態に係る連結具１と同様である。よって既述した本発明の第１の実施形態に係る連結具１及び支持部材７０と同一部材、同一機能を果たすものには、同一番号、同一符号を付し、以下の詳細な説明は省略するものとする。
【００６３】
より具体的には、図９に示すように、筒状挿通部３０の上部の外周からバンド体１０と同一部材をバンド体１０の長手方向に延出させて腕部６１を設けると共に、腕部６１の先端に楕円形状からなる引掛部６２を設けることで、連結具４に係止部６０を設ける構成としてある。
また本実施形態においては、図９（ａ）に簡略化して示すように、挿通孔３１内の上面３１ｂと引掛部６２の楕円の形成面とが直交するような位置関係で引掛部６２を設ける構成としてある。
【００６４】
そして図９（ｂ）、図１０に示すように、支柱７１の外周に設ける突出部からなる係止部７２に、引掛部６２を係止させる（引っ掛ける）ことで、本発明の実施形態に係る連結具４と支持部材７０との係止構造１００が形成される。
なお、図９に簡略化して示すように、係止部７２の強度を勘案すれば、係止部７２の支柱７１側の根元は、支柱７１に向かって厚肉となる構成とすることが望ましい。
【００６５】
このような構成とすることで、例えば図１０に示す苗木８０の誘因用として連結具４を用いる場合、連結具４が落下することを効果的に防止することができる。加えて、図３に示すように茎８１と葉８３との分岐部分に連結具４を配置させる必要がなくなり、茎８１や葉８３が損傷することを効果的に防止することができる。
【００６６】
また筒状挿通部３０の上部の外周からバンド体１０の長手方向に延出させて腕部６１を設ける構成とすることで、挿通孔３１の左右どちらの方向からでも楔型頭部２０を挿通可能な連結具４とすることができる。
また挿通孔３１の上面３１ｂと引掛部６２の楕円の形成面とが直交するような位置関係で引掛部６２を設ける構成とすることで、図１０に簡略化して示すように、引掛部６２の楕円と環状部Ｒで形成される円とを同じ平面上に並列配置させることができる。よって、支柱７１の任意の位置に係止部７２を設けることで、その近傍に連結具４を配置することができる。従って利便性の高い連結具４と支持部材７０との係止構造１００とすることができる。
また従来の連結具にはなかった、保持部材との係止機能を連結具に持たせることで、新たな付加価値を備える連結具を提供することができると共に、連結具の適用範囲を多用途に広げることが可能となる。
【００６７】
なお、腕部６１の長さや太さは本実施形態のものに限るものではなく、適宜変更可能である。また引掛部６２の形状も、楕円形状に限るものではなく、貫通孔６２ａを備えるものであれば、四角形等、如何なる形状であってもよい。
また筒状挿通部３０に対する腕部６１の形成位置や延出方向、延出角度も本実施形態のものに限るものではなく、適宜変更可能である。つまり、連結具の使用状態における被連結物に負荷される応力を軽減できる構成となるように、腕部６１の形成位置や延出方向、延出角度を設計することがより望ましい。例えば筒状挿通部３０の側部や下部から腕部６１を延出させる構成としてもよいし、バンド体１０の短手方向（長手方向に対して直交する方向）に腕部６１を延出させる構成としてもよい。但し、使用時における利便性を考慮すれば、挿通孔３１の左右どちらの方向からでも楔型頭部２０を挿通可能な構成とすることが望ましい。
【００６８】
次に図１１を参照して、本発明の第４の実施形態に係る連結具４の変形例１、２を説明する。なお、変形例１、２において、既述した本発明の第４の実施形態に係る連結具４と同一部材、同一機能を果たすものには、同一番号、同一機能を付し、以下の詳細な説明は省略するものとする。
【００６９】
まず図１１（ａ）を参照して、本発明の第４の実施形態に係る連結具４の変形例１は、既述した第４の実施形態に係る連結具４に対して、連結部の構成を変形させたものである。
具体的には、引掛部６２における腕部６１との合流部分に、引掛部６２を側方に膨出させてなる膨出部６２ｂを設ける構成としてある。なお、ここで「側方」とは、貫通孔６２ａの周方向を意味するものである。
【００７０】
このような構成とすることで、引掛部６２の強度を効果的に向上させることができ、耐久性の高い係止部とすることができる。
【００７１】
次に図１１（ｂ）を参照して、本発明の第４の実施形態に係る連結具４の変形例２は、既述した第４の実施形態に係る連結具４に対して、係止部の構成を変形したものである。
具体的には、引掛部６２にスリット６２ｃを設ける構成としてある。
なお、スリット６２ｃの大きさは本変形例２のものに限るものではなく、適宜変更可能である。
【００７２】
このような構成とすることで、引掛部６２を係止部７２に係止させる作業の効率化と製造コストの省コスト化とを実現することができる。
【００７３】
次に図１２、図１３を参照して、本発明の第４の実施形態に係る連結具４と支持部材７０との係止構造における支持部材７０の変形例を説明する。なお、本変形例において、既述した本発明の第４の実施形態に係る支持部材７０と同一部材、同一機能を果たすものには、同一番号、同一機能を付し、以下の詳細な説明は省略するものとする。
【００７４】
図１２を参照して、本変形例は、既述した本発明の第４の実施形態に係る連結具４と支持部材７０との係止構造に対して、係止部の構成を変形したものである。
具体的には、支柱７１の外周に設けるＬ字状の突出部７３ａと、突出部７３ａの屈曲部分に設ける貫通孔７３ｂとで係止部７３を形成する構成としてある。
また支柱７１の周方向に等間隔（９０度間隔）で係止部７３を四つ設ける構成としてある。更に支柱７１の軸方向に係止部７３を複数段設ける構成としてある。
【００７５】
このような構成とすることで、図１３に示すように、支柱７１の多方向で連結具を係止させることができる。また複数の連結具を支柱７１に同時に係止させることが可能となる。更に連結具に設ける係止部６０の引掛部６２の形状が、図１１（ａ）に示すような閉塞形状である場合と、図１１（ｂ）に示すようなスリットを備える形状である場合との何れの形状であっても、容易に係止可能な支持部材７０とすることができる。特に、引掛部６２がスリットを備える形状である場合には、引掛部６２を貫通孔７３ｂに差し込む構成となることから、連結具が支持部材７０から外れ難い係止構造とすることができる。
なお、突出部７３ａ及び貫通孔７３ｂの形状や数、太さ等は本変形例のものに限るものではなく、適宜変更可能である。また突出部７３ａ、貫通孔７３ｂを複数設ける場合における配置位置も本変形例のものに限るものではなく、適宜変更可能である。
【００７６】
なお、本実施形態においては、連結時に挿通孔３１内にて下面３１ａと対向するバンド体１０の表面にだけ第２係合部１１を設ける構成としたが、必ずしもこのような構成に限るものでない。例えば第１係合部３２と対向する側のバンド体１０の長手方向の表面全面に第２係合部１１を設ける構成としてもよい。このような構成とすることで、バンド体１０の連結位置を所望の位置に調整可能な連結具とすることができる。従って、一段と多用途に使用可能な連結具とすることができる。
また、第１係合部、第２係合部は、必ずしも設ける必要はなく、連結具に第１係合部、第２係合部を設けない構成としてもよい。
【００７７】
また本実施形態及び変形例においては、筒状挿通部３０と楔型頭部２０とをそれぞれ一つ備える連結具とする構成としたが、必ずしもこのような構成に限るものではなく、一つの連結具に筒状挿通部３０と楔型頭部２０とを複数設ける構成としてもよい。
例えば図１４、図１５に示す本発明の第５、第６の実施形態に係る連結具５、６のように、バンド体１０の略中央に二つの筒状挿通部３０を上下に積層するような構成で設けると共に、それぞれの筒状挿通部３０に対応する楔型頭部２０をバンド体１０の端部に設ける構成とするものであってもよい。また図１６に示す本発明の第７の実施形態に係る連結具７のように、複数の筒状挿通部３０をバンド体１０の長手方向に離間させて設ける構成としてもよい。なお、この場合、離間させて設ける複数の筒状挿通部３０は、バンド体１０の同一面に設ける構成と、互いに異なる面に設ける構成との何れであってもよい。
このような連結具５〜連結具７の構成とすることで、一つの連結具の複数位置で連結を行うことができ、一段と多用途に使用可能な連結具とすることができる。
【００７８】
また第１係合部及び第２係合部の形状も本実施形態及び変形例のものに限るものではなく、第１係合部と第２係合部とを相互に係合できるものであれば、如何なる形状であってもよい。
【００７９】
また本実施形態においては、連結具の利用形態として、農業用の連結具を示す構成としたが、連結具を使用する分野は必ずしもこのような分野に限るものではない。
例えば図１７に示すように、複数本のパイプ９０をその交差位置で連結させるための工業用の連結具として、例えば本発明の第６の実施形態に係る連結具６を用いることができる。
この際、図１５に示すように、本発明の第６の実施形態に係る連結具６は、使用時に１対のバンド体１０が交差する方向に１対の挿通孔３１を設ける構成であることから、交差する複数本のパイプ９０を一つの連結具で二方向から容易且つ効率的に連結固定させることができる。よって一段と強固に連結できると共に、作業効率の良い連結具とすることができる。
勿論、複数本のパイプ９０を連結させるために用いる連結具は、本発明の第６の実施形態に係る連結具６に限るものではなく、本発明の第１の実施形態に係る連結具１を用いる構成としてもよい。
【００８０】
このように、本発明の連結具によれば、例えば金属棒や、電話線等のケーブル、工事現場等の足場、住宅の垣根や柵類の組立て解体作業等、連結や結束が必要な如何なる対象物に対しても広範囲に用いることができる。更に一般家庭の日常生活でも、食料品等を袋に小分けして冷蔵庫に保存する用途や、園芸用の培養土や肥料袋の口を結び付けるたりする用途に用いることができ、様々な用途に利用可能な連結具とすることができる。
つまり本発明における「連結」とは、物を結び付ける行為や、物を束ねる行為のどちらも含む概念である。
【００８１】
本発明は、極めて単純な発想に基づくものであるが、取扱い操作が容易で手早く、作業効率を高めると共に、製品価格が安く、繰り返し利用できるという特性を兼備するものである。よって、その特性を活用すれば、様々の生産現場のみならず、私生活の場でも多用途に用いることができる。これによって、世界規模の需要増大が図られて物づくり日本の新たな輸出産業を生み出す可能性があるものと期待される。
【産業上の利用可能性】
【００８２】
本発明によれば、作業効率が良く、多用途に用いることができる連結具とすることができることから、連結具、結束具の分野における産業上の利用性が高い。
【符号の説明】
【００８３】
１            連結具
２            連結具
３            連結具
４            連結具
５            連結具
６            連結具
７            連結具
１０          バンド体
１１          第２係合部
１１ａ        第２係合部
１２          パット部
１３          側縁
２０          楔型頭部
２０ａ        上面
２０ｂ        下面
２１          凸状押圧部
２１ａ        頂点
３０          筒状挿通部
３１          挿通孔
３１ａ        下面
３１ｂ        上面
３２          第１係合部
３２ａ        第１係合部
４０          載置皿ユニット
４１          腕部
４１ａ        連結部
４２          支持ユニット
４２ａ        支持板
４２ｂ        軸
４３          載置部
４３ａ        回転体
４３ｂ        吊り紐
４３ｃ        載置皿
５０          保護体
５１          保護網
６０          係止部
６１          腕部
６２          引掛部
６２ａ        貫通孔
６２ｂ        膨出部
６２ｃ        スリット
７０          支持部材
７１          支柱
７２          係止部
７３          係止部
７３ａ        突出部
７３ｂ        貫通孔
８０          苗木
８１          茎
８２          果実
８３          葉
９０          パイプ
１００        係止構造
Ａ            厚み
Ｂ１          最大厚み
Ｂ２          最小厚み
Ｃ１          最大高さ
Ｃ２          最小高さ
Ｆ            折り返し湾曲部
Ｊ            力
Ｋ            押圧力
Ｌ            押圧力
Ｒ            環状部
Ｒ１          領域
【要約】
【課題】連結作業と連結を解く作業との何れも容易に行うことができると共に、再利用可能であり、多用途に用いることができる連結具及び該連結具と支持部材との係止構造の提供を可能とする。
【解決手段】帯状のバンド体１０を備えた連結具１であって、バンド体１０は、楔型頭部２０と、筒状挿通部３０とを少なくとも備え、楔型頭部２０は、先端に向けてその厚みを減ずるように構成すると共に、筒状挿通部３０は、楔型頭部２０を受け入れる挿通孔３１をその内孔が一対の開口の何れか一方向に減ずるように構成し、筒状挿通部３０に楔型頭部２０を挿通することで、バンド体１０を環状として被連結物を環内にて連結すると共に、筒状挿通部３０に挿通させた楔型頭部２０を折り返して再び筒状挿通部３０に進入させて係止する連結具である。
【選択図】      図１【図１】
0005938776.tif 000002
【図２】
0005938776.tif 000003
【図３】
0005938776.tif 000004
【図４】
0005938776.tif 000005
【図５】
0005938776.tif 000006
【図６】
0005938776.tif 000007
【図７】
0005938776.tif 000008
【図８】
0005938776.tif 000009
【図９】
0005938776.tif 000010
【図１０】
0005938776.tif 000011
【図１１】
0005938776.tif 000012
【図１２】
0005938776.tif 000013
【図１３】
0005938776.tif 000014
【図１４】
0005938776.tif 000015
【図１５】
0005938776.tif 000016
【図１６】
0005938776.tif 000017
【図１７】
0005938776.tif 000018